(57)【要約】【課題】加熱手段に設けられた加熱源の制御を行わない場合に比べ、搬送される記録材に対して加熱手段から供給される熱量を安定化させる。【解決手段】記録材Ｐの搬送方向における設置位置が互いに異なる複数の加熱源（第１加熱源８１０および第２加熱源８２０）を備え、搬送される記録材Ｐを加熱する加熱ユニット７１０が設けられている。さらに、第１加熱源８１０および第２加熱源８２０よりも記録材Ｐの搬送方向上流側に位置し、加熱ユニット７１０の温度を検出する上流側温度センサＳ１が設けられている。また、上流側温度センサＳ１による検出結果に基づき、第１加熱源８１０を制御する主制御部が設けられている。【選択図】図２
2017156654.tif 000002
【特許請求の範囲】
【請求項１】
記録材を搬送する搬送手段と、
記録材の搬送方向における設置位置が互いに異なるように配置された複数の加熱源を備え、搬送される記録材を加熱する加熱手段と、
前記複数の加熱源よりも記録材の搬送方向上流側に位置し、前記加熱手段の温度を検出する温度検出手段と、
前記温度検出手段による検出結果に基づき、前記複数の加熱源のうちの記録材搬送方向上流側に位置する加熱源を制御する制御手段と、
を備える記録材加熱装置。
【請求項２】
前記複数の加熱源よりも記録材の搬送方向下流側に位置し、前記加熱手段の温度を検出する下流側検出手段を更に備え、
前記制御手段は、前記下流側検出手段による検出結果に基づき、前記複数の加熱源のうちの記録材搬送方向下流側に位置する加熱源を制御する請求項１に記載の記録材加熱装置。
【請求項３】
前記制御手段は、前記温度検出手段により検出された温度が予め定められた閾値よりも小さくなった場合、前記記録材搬送方向上流側に位置する前記加熱源をオンし或いは当該加熱源の出力の増加を行い、前記下流側検出手段により検出された温度が予め定められた温度よりも小さくなった場合、前記記録材搬送方向下流側に位置する前記加熱源をオンしあるいは当該加熱源の出力の増加を行う請求項２に記載の記録材加熱装置。
【請求項４】
前記加熱手段のうちの、前記複数の加熱源と搬送される記録材との間に位置する部位の厚みよりも、当該加熱手段のうちの、前記温度検出手段による温度検出がなされる部位の厚みの方が小さい請求項１に記載の記録材加熱装置。
【請求項５】
記録材に画像を形成する画像形成手段と、
記録材の搬送方向における設置位置が互いに異なるように配置された複数の加熱源を備え、前記画像形成手段により画像が形成された記録材を加熱する加熱手段と、
前記複数の加熱源よりも記録材の搬送方向上流側に位置し、前記加熱手段の温度を検出する温度検出手段と、
前記温度検出手段による検出結果に基づき、前記複数の加熱源のうちの記録材搬送方向上流側に位置する加熱源を制御する制御手段と、
を備える画像形成装置。
【発明の詳細な説明】
【技術分野】
【０００１】
本発明は、記録材加熱装置および画像形成装置に関する。
【背景技術】
【０００２】
特許文献１には、加熱手段を内蔵する予備加熱プレートと、予備加熱プレートの温度を検出する温度センサと、温度センサが検出した温度に基づいて予備加熱プレートを制御する温度制御手段とを有した電子写真式印刷装置が開示されている。
【先行技術文献】
【特許文献】
【０００３】
【特許文献１】特開２０１０−３９０４３号公報
【発明の概要】
【発明が解決しようとする課題】
【０００４】
搬送される記録材を加熱手段で加熱するにあたり、記録材の搬送を順次行っていくと、加熱手段のうち、記録材搬送方向上流側に位置する部分の熱が記録材により奪われ、加熱手段に、部分的な温度低下が生じる。この場合、本来供給しようとしていた熱量よりも少ない熱量が記録材に対して供給されるおそれがある。
本発明の目的は、加熱手段に設けられた加熱源の制御を行わない場合に比べ、搬送される記録材に対して加熱手段から供給される熱量を安定化させることにある。
【課題を解決するための手段】
【０００５】
請求項１に記載の発明は、記録材を搬送する搬送手段と、記録材の搬送方向における設置位置が互いに異なるように配置された複数の加熱源を備え、搬送される記録材を加熱する加熱手段と、前記複数の加熱源よりも記録材の搬送方向上流側に位置し、前記加熱手段の温度を検出する温度検出手段と、前記温度検出手段による検出結果に基づき、前記複数の加熱源のうちの記録材搬送方向上流側に位置する加熱源を制御する制御手段と、を備える記録材加熱装置である。
請求項２に記載の発明は、前記複数の加熱源よりも記録材の搬送方向下流側に位置し、前記加熱手段の温度を検出する下流側検出手段を更に備え、前記制御手段は、前記下流側検出手段による検出結果に基づき、前記複数の加熱源のうちの記録材搬送方向下流側に位置する加熱源を制御する請求項１に記載の記録材加熱装置である。
請求項３に記載の発明は、前記制御手段は、前記温度検出手段により検出された温度が予め定められた閾値よりも小さくなった場合、前記記録材搬送方向上流側に位置する前記加熱源をオンし或いは当該加熱源の出力の増加を行い、前記下流側検出手段により検出された温度が予め定められた温度よりも小さくなった場合、前記記録材搬送方向下流側に位置する前記加熱源をオンしあるいは当該加熱源の出力の増加を行う請求項２に記載の記録材加熱装置である。
請求項４に記載の発明は、前記加熱手段のうちの、前記複数の加熱源と搬送される記録材との間に位置する部位の厚みよりも、当該加熱手段のうちの、前記温度検出手段による温度検出がなされる部位の厚みの方が小さい請求項１に記載の記録材加熱装置である。
請求項５に記載の発明は、記録材に画像を形成する画像形成手段と、記録材の搬送方向における設置位置が互いに異なるように配置された複数の加熱源を備え、前記画像形成手段により画像が形成された記録材を加熱する加熱手段と、前記複数の加熱源よりも記録材の搬送方向上流側に位置し、前記加熱手段の温度を検出する温度検出手段と、前記温度検出手段による検出結果に基づき、前記複数の加熱源のうちの記録材搬送方向上流側に位置する加熱源を制御する制御手段と、を備える画像形成装置である。
【発明の効果】
【０００６】
請求項１の発明によれば、加熱手段に設けられた加熱源の制御を行わない場合に比べ、搬送される記録材に対して加熱手段から供給される熱量を安定化させられる。
請求項２の発明によれば、記録材搬送方向下流側に位置する加熱源の制御を行わない場合に比べ、搬送される記録材に対して加熱手段から供給される熱量を安定化させられる。
請求項３の発明によれば、加熱手段のうちの記録材搬送方向上流側に位置する部位の温度、加熱手段のうちの記録材搬送方向下流側に位置する部位の温度を、予め定められた温度以上に保つことができる。
請求項４の発明によれば、複数の加熱源と搬送される記録材との間に位置する部位の厚みと温度検出がなされる部位の厚みとが等しい場合に比べ、加熱手段の温度変動の速やかな検知および加熱手段の熱容量の確保を行いやすくなる。
請求項５の発明によれば、加熱手段に設けられた加熱源の制御を行わない場合に比べ、搬送される記録材に対して加熱手段から供給される熱量を安定化させられる。
【図面の簡単な説明】
【０００７】
【図１】画像形成装置の構成例を示した図である。
【図２】記録材加熱装置を説明する図である。
【図３】記録材加熱装置の他の構成例を示した図であって記録材加熱装置を上方から眺めた場合の状態を示した図である。
【発明を実施するための形態】
【０００８】
以下、添付図面を参照して、本発明の実施の形態について詳細に説明する。
図１は、本実施形態の画像形成装置１の構成例を示した図である。
図１に示す画像形成装置１は、所謂タンデム型のカラープリンタであり、画像データに基づき画像形成を行う画像形成部１０を備える。また、画像形成装置１は、主制御部５０を備える。
【０００９】
制御手段の一例としての主制御部５０は、プログラム制御されたＣＰＵ（Central Processing Unit）により構成され、画像形成装置１に設けられた各装置、各機能部の動作制御や、パーソナルコンピュータ等との通信や、画像データに対する処理などを行う。
さらに、画像形成装置１には、ユーザからの操作入力の受付やユーザに対する各種情報の表示を行うユーザインターフェース部３０が設けられている。
【００１０】
画像形成手段の一例としての画像形成部１０は、例えば電子写真方式により画像を形成する機能部であり、イエロー（Ｙ）の画像形成ユニット１１Ｙ、マゼンタ（Ｍ）の画像形成ユニット１１Ｍ、シアン（Ｃ）の画像形成ユニット１１Ｃ、および、黒（Ｋ）の画像形成ユニット１１Ｋ、の４つの画像形成ユニットを備える。
なお、以下の説明において、各画像形成ユニットを特に区別しない場合には、「画像形成ユニット１１」と称する。
【００１１】
画像形成ユニット１１Ｙ、画像形成ユニット１１Ｍ、画像形成ユニット１１Ｃ、画像形成ユニット１１Ｋの各画像形成ユニット１１は、それぞれ、イエローのトナー像、マゼンタのトナー像、シアンのトナー像、黒のトナー像を形成する。
各画像形成ユニット１１には、静電潜像が形成された後に各色トナー像が形成される感光体ドラム１２が設けられている。また、感光体ドラム１２の表面を帯電する帯電器１３、帯電器１３により帯電された感光体ドラム１２を画像データに基づいて露光する露光器１４が設けられている。
【００１２】
さらに、各画像形成ユニット１１には、感光体ドラム１２上に形成された静電潜像を各色トナーにより現像する現像器１５、転写後の感光体ドラム１２の表面を清掃するクリーナ１６が設けられている。
また、画像形成部１０には、各画像形成ユニット１１の感光体ドラム１２に形成された各色トナー像が転写される中間転写ベルト２０、各画像形成ユニット１１にて形成された各色トナー像を中間転写ベルト２０に転写（一次転写）する一次転写ロール２１が設けられている。
【００１３】
また、画像形成部１０には、中間転写ベルト２０上に重畳して転写された各色トナー像を、記録材Ｐに対して一括転写（二次転写）する二次転写ロール２２が設けられている。
さらに、画像形成部１０には、二次転写された各色トナー像を記録材Ｐ上に定着する定着装置６０が設けられている。
なお、本実施形態では、以下、二次転写ロール２２が配置され、中間転写ベルト２０上の各色トナー像が記録材Ｐに二次転写される領域を、二次転写領域Ｔｒと称する。
【００１４】
ここで、記録材Ｐとしては、用紙、樹脂製シート、樹脂製フィルムなどが挙げられる。
なお、本実施形態では、一枚一枚にカットされた記録材Ｐではなく、記録材Ｐの搬送方向に沿って延びる連続状の記録材Ｐ（帯状の記録材Ｐ）に対して画像を形成する場合を一例に説明する。
【００１５】
画像形成装置１の動作を説明する。
画像形成にあたっては、画像形成ユニット１１の各々が、電子写真プロセスにより、黒、シアン、マゼンタ、イエローの各色トナー像を形成する。
各画像形成ユニット１１にて形成された各色トナー像は、一次転写ロール２１により中間転写ベルト２０上に順に一次転写され、各色トナーが重畳されたトナー像が中間転写ベルト２０上に形成される。
中間転写ベルト２０上のトナー像は、中間転写ベルト２０の移動に伴って二次転写ロール２２が配置された二次転写領域Ｔｒに搬送される。
【００１６】
記録材搬送系では、記録材Ｐが巻かれた供給ロール（不図示）から記録材Ｐが繰り出され、この記録材Ｐは、予め定められた搬送路に沿って搬送され、二次転写領域Ｔｒに到達する。二次転写領域Ｔｒでは、二次転写ロール２２により形成された転写電界によって、中間転写ベルト２０上のトナー像が、記録材Ｐに一括して二次転写される。
【００１７】
その後、トナー像が転写された記録材Ｐは、搬送手段の一例としての搬送ベルト２８や搬送ロール２９等によって、記録材加熱装置７００、定着装置６０に向けて搬送される。記録材Ｐは、定着装置６０に向かう途中で記録材加熱装置７００により加熱される。
定着装置６０では、定着装置６０のニップ部Ｎに対して記録材Ｐが供給される。これにより、記録材Ｐの加圧および加熱が行われ、記録材Ｐへのトナー像の定着が行われる。その後、この記録材Ｐは、不図示の巻取り装置により巻き取られる。
【００１８】
ここで、定着装置６０のみで記録材Ｐの加熱を行うには、定着装置６０の出力を大きくする必要が生じ、定着装置６０が大型化しやすい。記録材加熱装置７００を設けることで、定着装置６０の大型化が抑制される。
【００１９】
また、本実施形態では、定着装置６０に設けられた定着ロール６１１と加圧ロール６２とを圧接させてニップ部Ｎを形成するが、本実施形態の定着ロール６１１および加圧ロール６２は何れもロール状であり、この場合、定着ロール６１１と加圧ロール６２との接触面積が小さくなる。かかる場合、記録材Ｐに与えられる熱量が低下しやすい。
記録材加熱装置７００を設けると、定着装置６０のみで記録材Ｐに熱を供給する場合に比べ、記録材Ｐに供給される熱量を増やせる。
【００２０】
図２は、記録材加熱装置７００を説明する図である。
記録材加熱装置７００には、記録材Ｐを加熱する加熱手段の一例としての加熱ユニット７１０が設けられている。加熱ユニット７１０には、加熱源８００が設けられている。加熱源８００は、第１加熱源８１０および第２加熱源８２０により構成されている。
【００２１】
第１加熱源８１０および第２加熱源８２０は、記録材Ｐの搬送方向における設置位置が互いに異なるように配置されている。本実施形態では、記録材Ｐの搬送方向において、第１加熱源８１０が上流側に位置し、第２加熱源８２０が下流側に位置する。第１加熱源８１０および第２加熱源８２０は、例えばハロゲンヒータにより構成される。
【００２２】
さらに、加熱ユニット７１０には、直方体状に形成され且つ金属材料により形成され、第１加熱源８１０および第２加熱源８２０を収容する収容筐体８３０が設けられている。
さらに、この収容筐体８３０よりも記録材Ｐの搬送経路側には、この搬送経路上を搬送される記録材Ｐに接触する接触部材８４０が設けられている。
【００２３】
本実施形態では、搬送される記録材Ｐと加熱源８００との間に、接触部材８４０が設けられている。接触部材８４０は、板材により形成され、記録材Ｐの搬送方向に沿って延びるように設けられている。さらに、接触部材８４０は、搬送される記録材Ｐの下方に配置され、下方から記録材Ｐに接触する。
【００２４】
また、本実施形態では、記録材Ｐの搬送方向における接触部材８４０の長さと、記録材Ｐの搬送方向における収容筐体８３０の長さとを比較した場合に、接触部材８４０の長さの方が大きくなっている。
さらに、接触部材８４０は、記録材Ｐの搬送方向における上流側に上流側端部８４１を有し、記録材Ｐの搬送方向における下流側に下流側端部８４２を有する。
【００２５】
さらに、本実施形態では、収容筐体８３０の上流端８３１Ａ（記録材Ｐの搬送方向において最も上流側に位置する端部）よりも、接触部材８４０の上流側端部８４１の方が、記録材Ｐの搬送方向における上流側に位置する。
また、収容筐体８３０の下流端８３２Ａ（記録材Ｐの搬送方向において最も下流側に位置する端部）よりも、接触部材８４０の下流側端部８４２の方が、記録材Ｐの搬送方向における下流側に位置する。
【００２６】
さらに、本実施形態では、加熱ユニット７１０の温度を検出する上流側温度センサＳ１および下流側温度センサＳ２が設けられている。
温度検出手段の一例としての上流側温度センサＳ１は、加熱ユニット７１０に設けられた第１加熱源８１０および第２加熱源８２０よりも記録材Ｐの搬送方向上流側に位置する。
そして、上流側温度センサＳ１は、接触部材８４０の上流側端部８４１（収容筐体８３０よりも上流側に位置する部分）の温度を検出する。
【００２７】
下流側検出手段の一例としての下流側温度センサＳ２は、加熱ユニット７１０に設けられた第１加熱源８１０および第２加熱源８２０よりも記録材Ｐの搬送方向における下流側に位置する。そして、下流側温度センサＳ２は、接触部材８４０の下流側端部８４２（収容筐体８３０よりも下流側に位置する部分）の温度を検出する。
【００２８】
記録材加熱装置７００による記録材Ｐの加熱処理について説明する。
本実施形態の画像形成装置１では、電源の投入時や節電モードからの復帰時などの予め定められたタイミングで、制御手段の一例としての主制御部５０が制御信号を出力する。これにより、それまでオフ状態にあった第１加熱源８１０および第２加熱源８２０がオンされる。これにより、加熱ユニット７１０の全体の温度が上昇する。
【００２９】
そして、上流側温度センサＳ１により検知された温度、下流側温度センサＳ２により検知された温度が、予め定められた温度になると（後述する上限値に達すると）、主制御部５０から制御信号が出力され、第１加熱源８１０および第２加熱源８２０は一旦オフされる。
本実施形態では、上流側温度センサＳ１および下流側温度センサＳ２からの信号が、主制御部５０に出力され、主制御部５０は、上流側温度センサＳ１、下流側温度センサＳ２による検出結果に基づき、第１加熱源８１０および第２加熱源８２０を制御する。
【００３０】
その後、本実施形態では、記録材Ｐの搬送が開始され、画像形成部１０による記録材Ｐへの画像形成が開始される。そして、記録材Ｐのうちの、画像形成部１０による画像形成がなされた部分が、記録材加熱装置７００を経て定着装置６０（図１参照）に向かい、定着装置６０では、記録材Ｐへの画像の定着が行われる。そして、記録材Ｐのうちの画像の定着が終了した部分は、画像形成装置１の機外に排出される。
【００３１】
ここで、記録材Ｐへの画像形成を順次行っておくと、加熱ユニット７１０（図２参照）の熱が記録材Ｐにより奪われ、加熱ユニット７１０の温度が次第に低下する。
具体的には、本実施形態では、加熱ユニット７１０のうちの、記録材Ｐの搬送方向上流側の部分に対して、記録材Ｐが最初に接触するため、加熱ユニット７１０の上流側の部分から、温度低下が起こる。より具体的には、接触部材８４０（図２参照）の上流側端部８４１の部分から、温度低下が起こる。この場合、加熱ユニット７１０の温度が、本来予定していた温度よりも低くなり、記録材Ｐに供給される熱量が低下してしまう。
【００３２】
そこで、本実施形態では、加熱ユニット７１０の温度が低くなった場合には、第１加熱源８１０をオンし、加熱ユニット７１０の温度を上昇させる。
具体的には、本実施形態では、上記のとおり、加熱ユニット７１０のうちの上流側に位置する部分から次第に温度が低下するため、まず、第１加熱源８１０をオンし、加熱ユニット７１０の上流側部分の温度を上昇させる。
【００３３】
より具体的には、本実施形態では、上流側温度センサＳ１を用いて、加熱ユニット７１０の上流側部分の温度を検出しており、加熱ユニット７１０の上流側部分の温度が予め定められた閾値よりも小さくなった場合は、主制御部５０から制御信号が出力され、第１加熱源８１０がオンされる。これにより、加熱ユニット７１０の上流側部分の温度が上昇する。
【００３４】
なお、本実施形態では、加熱ユニット７１０の上流側部分の温度が低下しても、下流側部分の温度が低下していない場合には（下流側温度センサＳ２により検知された温度が予め定められた閾値を下まわっていない場合には）、第２加熱源８２０のオンは行わない。
加熱ユニット７１０の下流側部分については、未だ温度低下が起きておらず、第２加熱源８２０をオンしてしまうと、下流側部分が必要以上に加熱されてしまうためである。
【００３５】
一方で、加熱ユニット７１０の下流側部分の温度が低下した場合には、第２加熱源８２０をオンする。より具体的には、本実施形態では、下流側温度センサＳ２を用いて、加熱ユニット７１０の下流側部分の温度を検出しており、加熱ユニット７１０の下流側部分の温度が予め定められた閾値よりも小さくなった場合は、主制御部５０から制御信号が出力され、第２加熱源８２０がオンされる。
これにより、加熱ユニット７１０の下流側部分の温度低下も抑制され、記録材Ｐに対し、予め定められた熱量が供給される。
【００３６】
なお、本実施形態では、温度に関する上限値も設定されており、主制御部５０は、上流側温度センサＳ１、下流側温度センサＳ２のそれぞれにて検知された温度が予め定められた上限値を超えると、第１加熱源８１０、第２加熱源８２０をオフにする。
具体的には、主制御部５０は、上流側温度センサＳ１にて検知された温度が予め定められた温度（上限値）を超えた場合、第１加熱源８１０をオフし、下流側温度センサＳ２にて検知された温度が予め定められた温度を超えた場合、第２加熱源８２０をオフする。
【００３７】
ここで、本実施形態では、加熱ユニット７１０のうちの、加熱源８００と搬送される記録材Ｐとの間に位置する部位（加熱源８００と記録材搬送経路との間に位置する部位）の厚みよりも、加熱ユニット７１０のうちの、上流側温度センサＳ１、下流側温度センサＳ２による温度検出がなされる部位の厚みの方が小さくなっている。
【００３８】
具体的には、図２にて符号２Ａで示す部位の厚みＴ１よりも、図２にて符号２Ｂで示す部位の厚みＴ２の方が小さくなっている。付言すると、記録材Ｐの搬送方向と直交する方向における厚みを比較した場合に、符号２Ａで示す部位の厚みＴ１よりも、符号２Ｂで示す部位の厚みＴ２の方が小さくなっている。
この場合、上流側温度センサＳ１、下流側温度センサＳ２により温度検知される部分の厚みが大きい場合に比べ、加熱ユニット７１０の温度を検出する際の応答性が向上する。さらに、この場合、加熱源８００と搬送される記録材Ｐとの間に（加熱源８００と記録材搬送経路との間に）、熱の蓄積部が設けられた形となり、加熱ユニット７１０の熱容量がより大きなものとなる。
【００３９】
なお、本実施形態では、第１加熱源８１０および第２加熱源８２０の２つの加熱源を設けた場合を一例に説明したが、加熱源の数は、２つに限らず、３つ以上としてもよい。
ここで、例えば、加熱源が３つの場合、上流側温度センサＳ１にて検知された温度が予め定められた閾値よりも小さくなった場合には、例えば、この３つの加熱源のうちの最も上流側に位置する１つの加熱源をオンし、下流側温度センサＳ２にて検知された温度が予め定められた温度よりも小さくなった場合には、下流側に位置する残り２つの加熱源をオンする。
【００４０】
あるいは、例えば、上流側温度センサＳ１にて検知された温度が予め定められた温度よりも小さくなった場合、３つの加熱源のうちの上流側に位置する２つの加熱源をオンし、下流側温度センサＳ２にて検知された温度が予め定められた温度よりも小さくなった場合に、最も下流側に位置する残り１つの加熱源をオンする。
【００４１】
また、上記では、第１加熱源８１０、第２加熱源８２０をオン／オフする場合を一例に説明したが、オン／オフの制御に限らず出力の調整を行ってもよい。
具体的には、上流側温度センサＳ１、下流側温度センサＳ２にて検知された温度が予め定められた温度（上限値）を超えた場合には、第１加熱源８１０、第２加熱源８２０の出力を低下させる。また、上流側温度センサＳ１、下流側温度センサＳ２にて検知された温度が予め定められた温度よりも小さくなった場合には、第１加熱源８１０、第２加熱源８２０の出力を増加させる。
【００４２】
また、上記では、記録材Ｐの搬送方向に沿って延びる連続状の記録材Ｐに画像を形成する場合を一例に説明したが、一枚一枚にカットされた記録材Ｐに画像を形成する場合も、上記にて説明した各処理を行える。
【００４３】
図３は、記録材加熱装置７００の他の構成例を示した図であって記録材加熱装置７００を上方から眺めた場合の状態を示した図である。
図３にて示す記録材加熱装置７００では、第１加熱源８３１〜第４加熱源８３４の４つの加熱源が設けられている。さらに、この記録材加熱装置７００を備えた画像形成装置１では、サイズの異なる２種類の記録材Ｐの搬送を行えるようになっている。
さらに、この記録材加熱装置７００では、第１上流側温度センサＳ１１、第２上流側温度センサＳ１２、第１下流側温度センサＳ２１、第２下流側温度センサＳ２２の合計で４個の温度センサが設けられている。
【００４４】
図３に示すこの記録材加熱装置７００では、いわゆるサイド基準で記録材Ｐが搬送され、記録材Ｐのサイズに関わらず、予め定められた搬送基準４Ａ上を、記録材Ｐの側辺が通過する。
第１加熱源８３１、第３加熱源８３３は、搬送基準４Ａ側に配置され、第２加熱源８３２、第４加熱源８３４は、搬送基準４Ａとは反対側に配置されている。
また、第１上流側温度センサＳ１１、第１下流側温度センサＳ２１は、搬送基準４Ａ側に配置され、第２上流側温度センサＳ１２、第２下流側温度センサＳ２２は、搬送基準４Ａとは反対側に配置されている。
【００４５】
この構成例では、搬送される記録材Ｐのサイズによって、使用する加熱源を切り替える。
記録材Ｐのサイズが大きく且つ電源の投入時等には、第１加熱源８３１〜第４加熱源８３４の４つの加熱源をオンする。
そして、第１上流側温度センサＳ１１、第２上流側温度センサＳ１２、第１下流側温度センサＳ２１、第２下流側温度センサＳ２２にて検知された温度が予め定められた温度に達すると、第１加熱源８３１〜第４加熱源８３４をオフする。
【００４６】
そして、記録材Ｐの搬送に伴い、第１上流側温度センサＳ１１、第２上流側温度センサＳ１２にて検知された温度が予め定められた温度よりも小さくなった場合には、第１加熱源８３１、第２加熱源８３２をオンし、第１下流側温度センサＳ２１、第２下流側温度センサＳ２２にて検知された温度が予め定められた温度よりも小さくなった場合には、第３加熱源８３３、第４加熱源８３４をオンする。
【００４７】
一方、記録材Ｐのサイズが小さく且つ電源の投入時等には、第１加熱源８３１、第３加熱源８３３の２つの加熱源をオンし、第１上流側温度センサＳ１１、第１下流側温度センサＳ２１にて検知された温度が予め定められた温度に達すると、第１加熱源８３１、第３加熱源８３３をオフする。
そして、記録材Ｐの搬送に伴い、第１上流側温度センサＳ１にて検知された温度が予め定められた温度よりも小さくなった場合には、第１加熱源８３１をオンにし、第１下流側温度センサＳ２１にて検知された温度が予め定められた温度よりも小さくなった場合には、第３加熱源８３３をオンする。
【符号の説明】
【００４８】
１…画像形成装置、１０…画像形成部、２８…搬送ベルト、２９…搬送ロール、５０…主制御部、７００…記録材加熱装置、７１０…加熱ユニット、８００…加熱源、８１０…第１加熱源、８２０…第２加熱源、Ｓ１…上流側温度センサ、Ｓ２…下流側温度センサ、Ｐ…記録材
【図１】
2017156654.tif 000003
【図２】
2017156654.tif 000004
【図３】
2017156654.tif 000005
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
記録材を搬送する搬送手段と、
記録材の搬送方向における設置位置が互いに異なるように配置された複数の加熱源と、当該複数の加熱源を収容する収容筐体とを備え、搬送される記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
を備える記録材加熱装置。
【請求項２】
前記収容筐体とは別部材で構成され、当該収容筐体よりも記録材搬送経路側に設けられ、当該記録材搬送経路を搬送される記録材に接触する接触部材をさらに備え、
前記温度検出手段は、前記接触部材の温度を検出する請求項１に記載の記録材加熱装置。
【請求項３】
前記温度検出手段は、記録材搬送経路の脇に配置されるとともに前記複数の加熱源よりも当該記録材搬送経路により近い箇所に配置されている請求項１又は２に記載の記録材加熱装置。
【請求項４】
記録材搬送方向上流側の前記加熱源が位置する空間と、記録材搬送方向下流側の前記加熱源が位置する空間とが、前記収容筐体により仕切られている請求項１乃至３の何れかに記載の記録材加熱装置。
【請求項５】
前記複数の加熱源よりも記録材の搬送方向下流側に位置し、前記加熱手段の温度を検出する下流側検出手段を更に備え、
前記制御手段は、前記下流側検出手段による検出結果に基づき、前記複数の加熱源のうちの記録材搬送方向下流側に位置する加熱源を制御する請求項１乃至４の何れかに記載の記録材加熱装置。
【請求項６】
前記制御手段は、前記温度検出手段により検出された温度が予め定められた閾値よりも小さくなった場合、前記記録材搬送方向上流側に位置する前記加熱源をオンし或いは当該加熱源の出力の増加を行い、前記下流側検出手段により検出された温度が予め定められた温度よりも小さくなった場合、前記記録材搬送方向下流側に位置する前記加熱源をオンしあるいは当該加熱源の出力の増加を行う請求項５に記載の記録材加熱装置。
【請求項７】
前記加熱手段のうちの、前記複数の加熱源と搬送される記録材との間に位置する部位の厚みよりも、当該加熱手段のうちの、前記温度検出手段による温度検出がなされる部位の厚みの方が小さい請求項１乃至６の何れかに記載の記録材加熱装置。
【請求項８】
記録材に画像を形成する画像形成手段と、
記録材の搬送方向における設置位置が互いに異なるように配置された複数の加熱源と、当該複数の加熱源を収容する収容筐体とを備え、前記画像形成手段により画像が形成された記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
を備える画像形成装置。
【手続補正２】
【補正対象書類名】明細書
【補正対象項目名】０００５
【補正方法】変更
【補正の内容】
【０００５】
請求項１に記載の発明は、記録材を搬送する搬送手段と、記録材の搬送方向における設置位置が互いに異なるように配置された複数の加熱源と、当該複数の加熱源を収容する収容筐体とを備え、搬送される記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、
を備える記録材加熱装置である。
請求項２に記載の発明は、前記収容筐体とは別部材で構成され、当該収容筐体よりも記録材搬送経路側に設けられ、当該記録材搬送経路を搬送される記録材に接触する接触部材をさらに備え、前記温度検出手段は、前記接触部材の温度を検出する請求項１に記載の記録材加熱装置である。
請求項３に記載の発明は、前記温度検出手段は、記録材搬送経路の脇に配置されるとともに前記複数の加熱源よりも当該記録材搬送経路により近い箇所に配置されている請求項１又は２に記載の記録材加熱装置である。
請求項４に記載の発明は、記録材搬送方向上流側の前記加熱源が位置する空間と、記録材搬送方向下流側の前記加熱源が位置する空間とが、前記収容筐体により仕切られている請求項１乃至３の何れかに記載の記録材加熱装置である。
請求項５に記載の発明は、前記複数の加熱源よりも記録材の搬送方向下流側に位置し、前記加熱手段の温度を検出する下流側検出手段を更に備え、前記制御手段は、前記下流側検出手段による検出結果に基づき、前記複数の加熱源のうちの記録材搬送方向下流側に位置する加熱源を制御する請求項１乃至４の何れかに記載の記録材加熱装置である。
請求項６に記載の発明は、前記制御手段は、前記温度検出手段により検出された温度が予め定められた閾値よりも小さくなった場合、前記記録材搬送方向上流側に位置する前記加熱源をオンし或いは当該加熱源の出力の増加を行い、前記下流側検出手段により検出された温度が予め定められた温度よりも小さくなった場合、前記記録材搬送方向下流側に位置する前記加熱源をオンしあるいは当該加熱源の出力の増加を行う請求項５に記載の記録材加熱装置である。
請求項７に記載の発明は、前記加熱手段のうちの、前記複数の加熱源と搬送される記録材との間に位置する部位の厚みよりも、当該加熱手段のうちの、前記温度検出手段による温度検出がなされる部位の厚みの方が小さい請求項１乃至６の何れかに記載の記録材加熱装置である。
請求項８に記載の発明は、記録材に画像を形成する画像形成手段と、記録材の搬送方向における設置位置が互いに異なるように配置された複数の加熱源と、当該複数の加熱源を収容する収容筐体とを備え、前記画像形成手段により画像が形成された記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、を備える画像形成装置である。
【手続補正３】
【補正対象書類名】明細書
【補正対象項目名】０００６
【補正方法】変更
【補正の内容】
【０００６】
請求項１〜４の発明によれば、加熱手段に設けられた加熱源の制御を行わない場合に比べ、搬送される記録材に対して加熱手段から供給される熱量を安定化させられる。
請求項５の発明によれば、記録材搬送方向下流側に位置する加熱源の制御を行わない場合に比べ、搬送される記録材に対して加熱手段から供給される熱量を安定化させられる。
請求項６の発明によれば、加熱手段のうちの記録材搬送方向上流側に位置する部位の温度、加熱手段のうちの記録材搬送方向下流側に位置する部位の温度を、予め定められた温度以上に保つことができる。
請求項７の発明によれば、複数の加熱源と搬送される記録材との間に位置する部位の厚みと温度検出がなされる部位の厚みとが等しい場合に比べ、加熱手段の温度変動の速やかな検知および加熱手段の熱容量の確保を行いやすくなる。
請求項８の発明によれば、加熱手段に設けられた加熱源の制御を行わない場合に比べ、搬送される記録材に対して加熱手段から供給される熱量を安定化させられる。
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
記録材を搬送する搬送手段と、
記録材の搬送方向における設置位置が互いに異なるように配置された複数の加熱源と、当該複数の加熱源を収容する収容筐体とを備え、搬送される記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
を備え、
前記加熱手段には、前記収容筐体とは別部材で構成され、当該収容筐体よりも記録材搬送経路側に設けられ、当該記録材搬送経路を搬送される記録材に接触する接触部材がさらに設けられ、
前記温度検出手段は、前記接触部材の温度を検出する記録材加熱装置。
【請求項２】
記録材を搬送する搬送手段と、
記録材の搬送方向における設置位置が互いに異なるように配置された複数の加熱源と、当該複数の加熱源を収容する収容筐体とを備え、搬送される記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
を備え、
前記温度検出手段は、前記複数の加熱源よりも記録材搬送経路に近い箇所に配置されている記録材加熱装置。
【請求項３】
記録材を搬送する搬送手段と、
記録材の搬送方向における設置位置が互いに異なるように配置された複数の加熱源と、当該複数の加熱源を収容する収容筐体とを備え、搬送される記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
を備え、
記録材搬送方向上流側の前記加熱源が位置する空間と、記録材搬送方向下流側の前記加熱源が位置する空間とが、前記収容筐体により仕切られている記録材加熱装置。
【請求項４】
記録材を搬送する搬送手段と、
記録材の搬送方向における設置位置が互いに異なるように配置された複数の加熱源と、当該複数の加熱源を収容する収容筐体とを備え、搬送される記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
前記複数の加熱源よりも記録材の搬送方向下流側に位置し、前記加熱手段の温度を検出する下流側検出手段と、
を備え、
前記制御手段は、前記下流側検出手段による検出結果に基づき、前記複数の加熱源のうちの記録材搬送方向下流側に位置する加熱源を制御する記録材加熱装置。
【請求項５】
前記制御手段は、前記温度検出手段により検出された温度が予め定められた閾値よりも小さくなった場合、前記記録材搬送方向上流側に位置する前記加熱源をオンし或いは当該加熱源の出力の増加を行い、前記下流側検出手段により検出された温度が予め定められた温度よりも小さくなった場合、前記記録材搬送方向下流側に位置する前記加熱源をオンしあるいは当該加熱源の出力の増加を行う請求項４に記載の記録材加熱装置。
【請求項６】
記録材を搬送する搬送手段と、
記録材の搬送方向における設置位置が互いに異なるように配置された複数の加熱源と、当該複数の加熱源を収容する収容筐体とを備え、搬送される記録材を加熱する加熱手段と、
前記複数の加熱源よりも記録材の搬送方向上流側に位置し、前記収容筐体の外部に配置され、前記加熱手段の温度を検出する温度検出手段と、
前記温度検出手段による検出結果に基づき、前記複数の加熱源のうちの記録材搬送方向上流側に位置する加熱源を制御する制御手段と、
を備え、
前記加熱手段のうちの、前記複数の加熱源と搬送される記録材との間に位置する部位の厚みよりも、当該加熱手段のうちの、前記温度検出手段による温度検出がなされる部位の厚みの方が小さい記録材加熱装置。
【請求項７】
記録材に画像を形成する画像形成手段と、
前記画像形成手段により画像が形成された記録材を加熱する記録材加熱装置と、
を備え、
前記記録材加熱装置が、請求項１乃至６の何れかに記載の記録材加熱装置により構成された画像形成装置。
【手続補正２】
【補正対象書類名】明細書
【補正対象項目名】０００５
【補正方法】変更
【補正の内容】
【０００５】
請求項１に記載の発明は、記録材を搬送する搬送手段と、記録材の搬送方向における設置位置が互いに異なるように配置された複数の加熱源と、当該複数の加熱源を収容する収容筐体とを備え、搬送される記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、を備え、前記加熱手段には、前記収容筐体とは別部材で構成され、当該収容筐体よりも記録材搬送経路側に設けられ、当該記録材搬送経路を搬送される記録材に接触する接触部材がさらに設けられ、前記温度検出手段は、前記接触部材の温度を検出する記録材加熱装置である。
請求項２に記載の発明は、記録材を搬送する搬送手段と、記録材の搬送方向における設置位置が互いに異なるように配置された複数の加熱源と、当該複数の加熱源を収容する収容筐体とを備え、搬送される記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、を備え、前記温度検出手段は、前記複数の加熱源よりも記録材搬送経路に近い箇所に配置されている記録材加熱装置である。
請求項３に記載の発明は、記録材を搬送する搬送手段と、記録材の搬送方向における設置位置が互いに異なるように配置された複数の加熱源と、当該複数の加熱源を収容する収容筐体とを備え、搬送される記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、を備え、記録材搬送方向上流側の前記加熱源が位置する空間と、記録材搬送方向下流側の前記加熱源が位置する空間とが、前記収容筐体により仕切られている記録材加熱装置である。
請求項４に記載の発明は、記録材を搬送する搬送手段と、記録材の搬送方向における設置位置が互いに異なるように配置された複数の加熱源と、当該複数の加熱源を収容する収容筐体とを備え、搬送される記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、前記複数の加熱源よりも記録材の搬送方向下流側に位置し、前記加熱手段の温度を検出する下流側検出手段と、を備え、前記制御手段は、前記下流側検出手段による検出結果に基づき、前記複数の加熱源のうちの記録材搬送方向下流側に位置する加熱源を制御する記録材加熱装置である。
請求項５に記載の発明は、前記制御手段は、前記温度検出手段により検出された温度が予め定められた閾値よりも小さくなった場合、前記記録材搬送方向上流側に位置する前記加熱源をオンし或いは当該加熱源の出力の増加を行い、前記下流側検出手段により検出された温度が予め定められた温度よりも小さくなった場合、前記記録材搬送方向下流側に位置する前記加熱源をオンしあるいは当該加熱源の出力の増加を行う請求項４に記載の記録材加熱装置である。
請求項６に記載の発明は、記録材を搬送する搬送手段と、記録材の搬送方向における設置位置が互いに異なるように配置された複数の加熱源と、当該複数の加熱源を収容する収容筐体とを備え、搬送される記録材を加熱する加熱手段と、前記複数の加熱源よりも記録材の搬送方向上流側に位置し、前記収容筐体の外部に配置され、前記加熱手段の温度を検出する温度検出手段と、前記温度検出手段による検出結果に基づき、前記複数の加熱源のうちの記録材搬送方向上流側に位置する加熱源を制御する制御手段と、を備え、前記加熱手段のうちの、前記複数の加熱源と搬送される記録材との間に位置する部位の厚みよりも、当該加熱手段のうちの、前記温度検出手段による温度検出がなされる部位の厚みの方が小さい記録材加熱装置である。
請求項７に記載の発明は、記録材に画像を形成する画像形成手段と、前記画像形成手段により画像が形成された記録材を加熱する記録材加熱装置と、を備え、前記記録材加熱装置が、請求項１乃至６の何れかに記載の記録材加熱装置により構成された画像形成装置である。
【手続補正３】
【補正対象書類名】明細書
【補正対象項目名】０００６
【補正方法】変更
【補正の内容】
【０００６】
請求項１〜３の発明によれば、加熱手段に設けられた加熱源の制御を行わない場合に比べ、搬送される記録材に対して加熱手段から供給される熱量を安定化させられる。
請求項４の発明によれば、記録材搬送方向下流側に位置する加熱源の制御を行わない場合に比べ、搬送される記録材に対して加熱手段から供給される熱量を安定化させられる。
請求項５の発明によれば、加熱手段のうちの記録材搬送方向上流側に位置する部位の温度、加熱手段のうちの記録材搬送方向下流側に位置する部位の温度を、予め定められた温度以上に保つことができる。
請求項６の発明によれば、複数の加熱源と搬送される記録材との間に位置する部位の厚みと温度検出がなされる部位の厚みとが等しい場合に比べ、加熱手段の温度変動の速やかな検知および加熱手段の熱容量の確保を行いやすくなる。
請求項７の発明によれば、加熱手段に設けられた加熱源の制御を行わない場合に比べ、搬送される記録材に対して加熱手段から供給される熱量を安定化させられる。